(57)【要約】【課題】タイル収容凹部内にタイルが傾斜状態で収容されてしまう。【解決手段】板材１の上面に複数個のタイル収容凹部２、２ａ…を形成し、該タイル収容凹部２、２ａ…の内側面３、３ａ…を傾斜面とすると共に、開口縁部４、４ａ…をＲ面として、タイルＴ、Ｔａ…の側部裏面がタイル収容凹部２、２ａ…の開口縁部４、４ａ…に引っ掛かって傾斜状態で収容されたとしても、傾斜状態のタイルＴ、Ｔａ…がタイル収容凹部２、２ａ…内に滑り落ち、而もタイル収容凹部２、２ａ…の四隅部の外側に上方開口状の逃がし空間部５、５ａ…を連続形成することで、タイルＴ、Ｔａ…の四隅部に残存するバリが開口縁部４、４ａ…に引っ掛からないため、タイルＴ、Ｔａ…をタイル収容凹部２、２ａ…内に完全収容させることが可能になる。【選択図】　　　　図１
2004116063.tif 000002
【特許請求の範囲】
【請求項１】
板材における少なくとも上面に複数個のタイル収容凹部を形成し、該タイル収容凹部の内側面を傾斜面とすると共に、開口縁部をＲ面としたことを特徴とする目地板。
【請求項２】
板材における少なくとも上面に複数個のタイル収容凹部を形成すると共に、各タイル収容凹部における四隅部の外側に上方開口状の逃がし空間部を連続形成したことを特徴とする目地板。
【発明の詳細な説明】
【０００１】
【発明の属する技術分野】
本発明は、複数枚のタイルをシート材で連結したユニットタイルの製造時に、タイルを配列するために使用する目地板に関する。
【０００２】
【従来の技術】
従来、かかる目地板にあっては、図６に示す様に、板材ａの上面又は上下面に複数個のタイル収容凹部ｂ、ｂａ…を形成すると共に、該タイル収容凹部ｂ、ｂａ…の内側面ｃ、ｃａ…を傾斜させ、上記タイル収容凹部ｂ、ｂａ…内にタイルｔ、ｔａ…を収容した後、タイルｔ、ｔａ…上に連結シートｓを貼り着けて、ユニットタイルｕを製造する様にしている。
【０００３】
研究開発段階や出願段階で先行技術調査を行っておらず、記載すべき先行技術文献を知りません。
【０００４】
【発明が解決しようとする課題】
しかし、上記従来の目地板にあっては、下記の通り解決せねばならない課題があった。
（１）タイル収容凹部ｂ、ｂａ…の開口縁部ｄ、ｄａ…は角張っているため、位置ずれ状態で搬送されてきたタイルｔ、ｔａ…の側部裏面が引っ掛かって、タイル収容凹部ｂ、ｂａ…内にタイルｔ、ｔａ…が完全収容されず、図６（ａ）、（ｂ）に示す様に傾斜収容されてることから、そのままの状態で連結シートｓが貼られてしまうと、製造されたユニットタイルｕが不良品に成ってしまう。
（２）特にタイルｔ、ｔａ…が押出成形品の場合、その四隅部にバリが残存していることが多いが、そのバリがタイル収容凹部ｂ、ｂａ…の開口縁部に引っ掛かって、タイル収容凹部ｂ、ｂａ…内にタイルｔ、ｔａ…が完全収容されず、製造されたユニットタイルｕが不良品に成ってしまう。
【０００５】
【課題を解決するための手段】
本発明は、上記従来技術に基づく、上記（１）、（２）の課題に鑑み、板材における少なくとも上面に複数個のタイル収容凹部を形成し、該タイル収容凹部の内側面を傾斜面とすると共に、開口縁部をＲ面とすることによって、タイルの側部裏面がタイル収容凹部の開口縁部に引っ掛かって傾斜状態で収容されたとしても、搬送中の振動等により傾斜状態のタイルが滑り落ちてタイル収容凹部内に完全収容させる様にして、上記（１）の課題を解決し、而もタイル収容凹部における四隅部の外側に上方開口状の逃がし空間部を連続形成することによって、タイルの四隅部に残存するバリが開口縁部に引っ掛からず、タイル収容凹部内に完全収容させることを可能にして、上記（２）の課題を解決する。
【０００６】
【発明の実施の形態】
以下本発明の一実施例を図面に基づいて説明する。
図１、２、３は、本発明に係る目地板の平面図と、図１のＸーＸ断面及びＹーＹ断面の要部拡大図であり、板材１の上下面の夫々に複数個のタイル収容凹部２、２ａ…を規則的に配列形成している。尚、タイル収容凹部２、２ａ…の配列形態は図１のものに限定せず、図示しないが、千鳥配置しても良い。
各タイル収容凹部２、２ａ…の内側面３、３ａ…を下方且つ内方への傾斜面とすると共に、タイル収容凹部２、２ａ…の開口縁部４、４ａ…をＲ面としている。
【０００７】
各タイル収容凹部２、２ａ…における四隅部の外側に上方開口状の逃がし空間部５、５ａ…を形成し、該逃がし空間部５、５ａ…は、具体的には、図１〜３に示す様に、各タイル収容凹部２、２ａ…の外周側に位置する目地形成突条６、６ａ…の両端部位の幅を狭く、高さを低くすることで形成したり、或いは、図４に示す様に、目地形成突条６、６ａ…同志を交差させない様に各目地形成突条６、６ａ…を短くして、直角位置の目地形成突条６、６ａ…間に逃がし空間部５、５ａ…を形成している。
【０００８】
次に本発明に係る目地板の作用について説明する。
図５（ａ）、（ｂ）に示す様に、タイル収容凹部２、２ａ…内にタイルＴ、Ｔａ…を収容した後、該タイルＴ、Ｔａ…上に連結シートＳを貼り着けて、ユニットタイルＵを製造する際に、タイル収容凹部２、２ａ…の開口縁部４、４ａ…にタイルＴ、Ｔａ…の側部裏面が引っ掛かって、タイル収容凹部２、２ａ…内にタイルＴ、Ｔａ…が傾いた状態で収容されても、開口縁部４、４ａ…がＲ面でタイルＴ、Ｔａ…との摩擦抵抗が低いため、図５（ａ）に示す様に、タイルＴ、Ｔａ…がタイル収容凹部２、２ａ…内に滑り落ちて完全収容される。
又、タイルＴ、Ｔａ…の四隅部に残存するバリは、逃がし空間部５、５ａ…の上方開口部を通過するためにタイル収容凹部２、２ａ…の開口縁部４、４ａ…に引っ掛からず、逃がし空間部５、５ａ…内に収容されるため、タイルＴ、Ｔａ…がタイル収容凹部２、２ａ…内に完全収容される。
【０００９】
【発明の効果】
要するに本発明は、板材１における少なくとも上面に複数個のタイル収容凹部２、２ａ…を形成し、該タイル収容凹部２、２ａ…の内側面３、３ａ…を傾斜面とすると共に、開口縁部４、４ａ…をＲ面としたので、タイルＴ、Ｔａ…がタイル収容凹部２、２ａ…内に傾いた状態で収容されたとしても、タイル収容凹部２、２ａ…内に滑り落ちるため、タイルＴ、Ｔａ…をタイル収容凹部２、２ａ…内に完全収容させることが出来、又各タイル収容凹部２、２ａ…における四隅部の外側に上方開口状の逃がし空間部５、５ａ…を連続形成したので、タイルＴ、Ｔａ…の四隅部に残存するバリがバリがタイル収容凹部２、２ａ…の開口縁部４、４ａ…に引っ掛からないため、タイルＴ、Ｔａ…をタイル収容凹部２、２ａ…内に完全収容させることが出来る。
従って、上記目地板によれば、全てのタイルＴ、Ｔａ…が所定位置に配置されたタイルユニットＵを製造することが出来る等その実用的効果甚だ大である。
【図面の簡単な説明】
【図１】本発明に係る目地板の平面図である。
【図２】図１のＸーＸ断面の要部拡大図である。
【図３】図１のＹーＹ断面の要部拡大図である。
【図４】目地板の他の実施例の平面図である。
【図５】図１の目地板でユニットタイルを製造する過程を示す要部断面図である。
【図６】従来の目地板でユニットタイルを製造する過程を示す要部断面図である。
【符号の説明】
１　　　　板材
２、２ａ…　タイル収容凹部
３、３ａ…　内側面
４、４ａ…　開口縁部
５、５ａ…　逃がし空間部
【図１】
2004116063.tif 000003
【図２】
2004116063.tif 000004
【図３】
2004116063.tif 000005
【図４】
2004116063.tif 000006
【図５】
2004116063.tif 000007
【図６】
2004116063.tif 000008